(57)【要約】      （修正有）【課題】動刃と静刃の枢着機構を構成する回転体を所定の角度だけ回動し、動刃の櫛刃や平刃の摺動切断範囲の噛合っていた位置を前進移動をさせ静刃の棒刃に対する動刃の櫛刃や平刃の摺動切断範囲を変更して、長期間にわたり研ぎに回す必要がなく使用可能な理美容鋏を提供する。【解決手段】梳刃１０もしくは平刃を有する動刃ａと棒刃１１を有する静刃ｂを刃先が噛み合うように重ね合せ、前記両刃ａ、ｂの刃先の先端から所定の位置に支点となる枢着機構で前記両刃ａ、ｂの刃先が回動自在に枢着せしめる理美容鋏において、前記枢着機構を構成する偏心する貫通孔４を有する回転体ｃを回転させて前記動刃ｂの櫛刃１０もしくは平刃１０ａの摺動切断範囲の噛み合っていた位置を、前進移動もしくは後進移動して前記両刃ａ、ｂが噛み合っている。【選択図】図２
0003160547.tif 000002
【実用新案登録請求の範囲】
【請求項１】
梳刃もしくは平刃を有する動刃と棒刃を有する静刃を刃先が噛み合うように重ね合せ、前記両刃の刃先の先端から所定の位置に支点となる枢着機構で前記両刃の刃先が回動自在に枢着せしめる理美容鋏において、
前記枢着機構を構成する偏心する貫通孔を有する回転体を回転させて前記動刃の櫛刃もしくは平刃の摺動切断範囲の噛み合っていた位置を、前進移動もしくは後進移動して前記両刃が噛み合っていることを特徴とする理美容鋏。
【請求項２】
前記固定機構を構成する頭部と裏面部に突出する偏心する貫通孔を有し、且前記動刃に形成の貫通孔に嵌挿する前記突起部を形成し、前記裏面部に前記偏心貫通孔の中心から同一長さにして、且４５度の角度を有するボールの収納凹部を複数形成せしめる回転体と、前記動刃の表面部に前記凹部と合致するボールの上方収納凹部を形成すると共に、前記動刃の貫通孔に嵌挿する前記回転体のボルトの角形胴部及びボルト部が嵌挿する嵌挿部を傾斜状嵌挿部と貫通孔を形成し、且前記動刃の表面部に前記回転体のボール収納凹部と合致するボールの下方収納凹部を形成し、前記静刃の表面部より裏面部にかけて大径状凹部を形成し、前記大径状凹部より裏面部にかけて四辺形状の貫通孔を形成すると共に、前記動刃の貫通孔に前記回転体の突起部を嵌挿し、前記ボルトにワッシャーを嵌挿した後前記回転体の貫通孔に嵌挿し、前記静刃の貫通孔に前記回転体の突起部の下方部が嵌挿し、前記ボルトのボルト部に前記静刃の大径状凹部にナットを嵌挿し螺着せしめ組立てることを特徴とする請求項１に記載した理美容鋏。
【考案の詳細な説明】
【技術分野】
【０００１】
本考案は、理美容鋏の分野に関するものである。
【背景技術】
【０００２】
従来すき鋏として特開平８−７１２６３公開特許公報が開示されている。
【０００３】
しかし、前記公開特許公報に開示されているすき鋏には、動刃ａと静刃ｂを交叉させ枢着せしめる枢着軸４が使用されているが、前記公開特許公報の枢着軸４は、この枢着軸４を回転させて櫛刃３ａ付き静刃３を前進させて平刃ａもしくは受刃ｂの摺動切断範囲の部位を前進移動をさせることができない機構である。
【０００４】
さらに、調髪用梳き鋏として、実用新案登録第３１３６９４２号登録実用新案公報が開示されている。
【０００５】
この調髪用梳き鋏は、調髪用梳き鋏の棒刃と櫛刃とを交叉状に枢着する回転可能にして、且偏心する枢着軸の頭部を所定の角度宛回転させることによって、櫛刃が微動して櫛刃を構成する梳刃が微動して所望する毛髪の梳き量を一本の鋏で梳くことができるようにしたものである。
【先行技術文献】
【特許文献】
【０００６】
【特許文献１】特開平８−７１２６３公開特許公報
【特許文献２】実用新案登録第３１３６９４２号登録実用新案公報
【考案の概要】
【考案が解決しようとする課題】
【０００７】
しかるに本考案は、動刃と静刃の枢着機構を構成する回転体を所定の角度だけ回動することによって、動刃の櫛刃もしくは平刃の摺動切断範囲の噛み合っていた位置を前進移動をさせ静刃の棒刃に対する前記動刃の櫛刃もしくは平刃の摺動切断範囲を変更せしめて、一本の理美容鋏を長期間にわたり研ぎに回す必要がなく使用可能にしたものである。
【０００８】
さらに本考案は、１本の理美容鋏を長期間にわたり使用が可能であると共に極めて経済的である。
【課題を解決するための手段】
【０００９】
課題を解決するための手段として、請求項１記載の考案は、梳刃１０もしくは平刃１０ａを有する動刃ａと棒刃１１を有する静刃ｂを刃先が噛み合うように重ね合せ、前記両刃ａ、ｂの刃先の先端から所定の位置に支点となる枢着機構ｓで前記両刃ａ、ｂの刃先が回動自在に枢着せしめる理美容鋏において、前記枢着機構ｓを構成する偏心する貫通孔４を有する回転体ｃを回転させて前記動刃ｂの櫛刃１０もしくは平刃１０ａの摺動切断範囲の噛み合っていた位置を、前進移動もしくは後進移動して前記両刃ａ、ｂが噛み合っていることを特徴とする理美容鋏である。
【００１０】
課題を解決するための手段として、請求項２記載の考案は、前記固定機構ｓを構成する頭部１３と裏面部６に突出する偏心する貫通孔４を有し、且前記動刃ａに形成の貫通孔１に嵌挿する前記突起部５を形成し、前記裏面部６に前記偏心貫通孔４の中心から同一長さにして、且４５度の角度を有するボール９の収納凹部７を複数形成せしめる回転体ｃと、前記動刃ａの表面部２０に前記凹部７と合致するボール９の上方収納凹部８を形成すると共に、前記動刃ｂの貫通孔１に嵌挿する前記回転体ｃのボルトｄの角形胴部１４及びボルト部１５が嵌挿する嵌挿部２を傾斜状嵌挿部３と貫通孔４を形成し、且前記動刃ａの表面部２０に前記回転体ｃのボール収納凹部７と合致するボール９の下方収納凹部８を形成し、前記静刃ｂの表面部２１より裏面部２１ａにかけて大径状凹部２２を形成し、前記大径状凹部２２より裏面部２１ａにかけて四辺形状の貫通孔２３を形成すると共に、前記動刃ａの貫通孔１に前記回転体ｃの突起部５を嵌挿し、前記ボルトｄにワッシャー１６を嵌挿した後前記回転体ｃの貫通孔４に嵌挿し、前記静刃ｂの貫通孔２３に前記回転体ｃの突起部５の下方部が嵌挿し、前記ボルトｄのボルト部１５に前記静刃ｂの大径状凹部２２にナットｅを嵌挿し螺着せしめ組立てることを特徴とする理美容鋏である。
【考案の効果】
【００１１】
請求項１に記載の考案は、梳刃もしくは平刃を有する動刃と棒刃を有する静刃を刃先が噛み合うように重ね合せ、前記両刃の刃先の先端から所定の位置に支点となる枢着機構で前記両刃の刃先が回動自在に枢着せしめる理美容鋏において、
前記枢着機構を構成する偏心する貫通孔を有する回転体を回転させて前記動刃の櫛刃もしくは平刃の摺動切断範囲の噛み合っていた位置を、前進移動もしくは後進移動して前記両刃が噛み合っている理美容鋏なので、枢着機構を構成する回転体を所定の角度だけ回転すると、ボールが前記回転体の裏面部に形成されている第２のボールの上方収納部に嵌り込んで、静刃の棒刃と噛合していた動刃の櫛刃もしくは平刃の噛み合っていた位置を前進移動をさせて、磨耗していない棒刃と噛合できる。
【００１２】
そのため、未だ噛み合っていなかった静刃の棒刃の部位に、前記静刃の櫛刃もしくは平刃の摺動切断位置が移動し、新規にして、切れ味が良好な理美容鋏として継続使用ができるすぐれた利点を有している。
【００１３】
さらに本考案は前記のとおり、摩耗した鋏の刃部の研磨作業を不要にして一本の鋏を長期使用できるので、極めて経済的である。
【００１４】
つぎに、請求項２に記載の考案は、前記固定機構を構成する頭部と裏面部に突出する偏心する貫通孔を有し、且前記動刃に形成の貫通孔に嵌挿する前記突起部を形成し、前記裏面部に前記偏心貫通孔の中心から同一長さにして、且４５度の角度を有するボールの収納凹部を複数形成せしめる回転体と、前記動刃の表面部に前記凹部と合致するボールの上方収納凹部を形成すると共に、前記動刃の貫通孔に嵌挿する前記回転体のボルトの角形胴部及びボルト部が嵌挿する嵌挿部を傾斜状嵌挿部と貫通孔を形成し、且前記動刃の表面部に前記回転体のボール収納凹部と合致するボールの下方収納凹部を形成し、前記静刃の表面部より裏面部にかけて大径状凹部を形成し、前記大径状凹部より裏面部にかけて四辺形状の貫通孔を形成すると共に、前記動刃の貫通孔に前記回転体の突起部を嵌挿し、前記ボルトにワッシャーを嵌挿した後前記回転体の貫通孔に嵌挿し、前記静刃の貫通孔に前記回転体の突起部の下方部が嵌挿し、前記ボルトのボルト部に前記静刃の大径状凹部にナットを嵌挿し螺着せしめ組立てる理美容鋏なので、前記請求項１に記載の考案と同じ効果を有している。
【図面の簡単な説明】
【００１５】
【図１】本考案理美容鋏の正面図である。
【００１６】
【図２】図１の理美容鋏の分解傾斜図である。
【００１７】
【図３】同理美容鋏における枢着機構の一部切欠拡大縦断正面図である。
【００１８】
【図４】図３の枢着機構を構成する回転体の底面図である。
【００１９】
【図５】図４の回転体が１８０度回転した状態の底面図である。
【００２０】
【図６】同鋏の静刃の表面図である。
【００２１】
【図７】静刃に対する静刃の摺動切断範囲を示す一部切欠拡大平面図である。
【００２２】
【図８】図７における静刃の一部切欠のＡ−Ａ線拡大正面図である。
【００２３】
【図９】図７の動刃が回転体をスライドすると、動刃が図７の摺動位置から前進することを示す両刃の一部切欠拡大平面図である。
【００２４】
【図１０】図９における静刃のＢ−Ｂ線一部切欠拡大正面図である。
【００２５】
【図１１】平刃を有する動刃と静刃の摺動位置を示す一部切欠拡大平面図である。
【００２６】
【図１２】図１１における静刃のＣ−Ｃ線一部切欠拡大正面図である。
【００２７】
【図１３】回転体により回転した平刃付き動刃が摺動位置に変化があったことを示す一部切欠拡大平面図である。
【００２８】
【図１４】図１３の静刃のＤ−Ｄ線一部切欠拡大正面図である。
【考案を実施するための最良の形態】
【００２９】
本考案の実施の形態は共通しているので一括して以下のとおり説明する。
【００３０】
図において、ａは梳刃１０もしくは平刃１０ａを有する理美容鋏の一方を構成する動刃である。
【００３１】
ｂは棒刃１１を有する理美容鋏を構成する静刃である。
【００３２】
前記両刃ａ、ｂの刃先が噛み合うように重ね合せ、前記両刃ａ、ｂの刃先の先端から所定の位置に支点となる枢着機構ｓで前記両刃ａ、ｂの刃先が回動自在に固定せしめる。
【００３３】
本考案は、前記枢着機構ｃを構成する偏心する貫通孔４を有する回転体ｃを回転させて前記動刃ｂの櫛刃１０もしくは平刃１０ａの摺動切断範囲の噛み合っていた位置が前進移動をするものである。
【００３４】
さらに本考案の実施形態をより具体的に説明すると以下のとおりである。
【００３５】
図においてｓは枢着機構である。
【００３６】
この枢着機構ｓの機構部材につき説明すると以下のとおりである。
【００３７】
前記枢着機構ｓの構成部材の１つとして突起部５があるが、この突起部５は頭部１３と裏面部６に突出し、且偏心する貫通孔４を有している。さらにこの突起部５は、前記動刃ｂに形成する貫通孔１に嵌挿する断面が円形状となっている。
【００３８】
つぎに動刃ａの構成につき説明すると以下のとおりである。
【００３９】
この動刃ａには、刃先ｈから所定の位置に前記枢着機構ｓを構成する回転体ｃの突起部５が嵌挿する貫通孔１を有している。
【００４０】
さらに前記動刃ａの表面部２０には、前記貫通孔１より手指挿入部寄りにボール９が嵌挿する下方収納凹部８を形成する。
【００４１】
他方静刃ｂの構成につき説明すると以下のとおりである。
【００４２】
この静刃ｂには、刃先ｈから所定の位置に枢着機構ｓを構成する回転体ｃの貫通孔４に嵌挿するボルトｄの角形胴部１４とボルト部１５が嵌挿する貫通孔２３を表面部２１から裏面部２１ａにかけて形成する。
【００４３】
さらに前記貫通孔２３の形成時に、静刃ｂの表面部２１から裏面部２１ａにかけて、ナットｅが嵌挿する大径状凹部２２を前記貫通孔２３と接続せしめ形成する。
【００４４】
また本考案の構成部材の要部である回転体ｃの具体的実施形態につき説明すると以下のとおりである。
【００４５】
前記回転体ｃは、頭部１３と裏面部６に突出し偏心する貫通孔４を有し、且前記動刃ａの貫通孔１に嵌挿する突起部５を形成し、さらに前記裏面部６に前記貫通孔４の中心から同一長さにして、且４５度の角度を有するボール９の収納凹部７を複数形成せしめる。
【００４６】
さらに、前記回転体ｃの前記頭部３の内側に、円形状にして、且大径状嵌挿部２を有し、前記大径状嵌挿部２の下方部を内側に径を挟める逆円錐  形状の傾斜状嵌挿部３を形成し、前記傾斜状嵌挿部３の下方部より動刃ａの裏面部２０ａにかけて円形状の貫通孔４を形成する。
【００４７】
動刃ａの表面部２０に形成の下方収納凹部８は、前記回転体ｃが回転すると、前記回転体ｃの収納凹部７は常に合致する。
【００４８】
さらに、前記回転体ｃの嵌挿部２と傾斜状嵌挿部３と貫通孔４に嵌挿するボルトｄにつき説明すると以下のとおりである。
【００４９】
このボルトｄは頭部１２と角形状胴部１４とボルト部１５とをもって形成されている。
【００５０】
１６はワッシャー、１７は貫通孔１８付き下方ワッシャーである。
【００５１】
ｅは貫通孔１９付きナットである。
【００５２】
本考案の理美容鋏は、下記のようにして組立てる。
【００５３】
本考案の各構成部材は、図２に示すとおりである。
【００５４】
しかるに、本考案の理美容鋏の各構成部材を組立ると、図１及び図３のようになる。
【００５５】
すなわち、動刃ａと静刃ｂを刃先が噛み合うように重ね合せ、前記両刃ａ、ｂの刃先の先端から所定の位置に支点となる枢着機構ｓで前記両刃ａ、ｂの刃先が回動自在に枢着せしめ組立てる。
【００５６】
しかる後、前記枢着機構ｓを構成する偏心する貫通孔４を有する回転体ｃを４５度回転させると、ボール９はそのままの状態で当該位置に静止し、前記回転体ｃの次の凹部７内に前記ボール９が嵌り込むことになる。
【００５７】
従って、当初噛み合っていた両刃ａ、ｂの中、前記動刃ｂの櫛刃１０もしくは平刃１０ａの摺動切断範囲の噛み合わせ位置が図７、９、１１、１３のように前進移動する。
【００５８】
さらに本考案は、前記回転体ｃを回転後さらに４５度回転すると、動刃ａが若干前進移動する。
【００５９】
上記のとおり、本考案は回転体ｃをボール９が嵌挿する各凹部７内に夫々嵌込むことによって偏心する貫通孔４を有する回転体ｃが突起部５を支点に動刃ａが前進する。
【符号の説明】
【００６０】
ｓ      枢着機構
ａ      動刃
ｂ      静刃
ｃ      回転体
ｄ      ボルト
ｅ      ナット
ｈ      刃先
１      貫通孔
２      嵌挿部
３      傾斜状嵌挿部
４      貫通孔
５      突起部
６      裏面部
７      凹部
８      下方収納凹部
９      ボール
１０    梳刃
１０ａ  平刃
１１    棒刃
１２    大径状嵌挿部
１３    頭部
１４    角形状胴部
１５    ボルト部
１６    ワッシャー
１７    下方ワッシャー
１８    貫通孔
１９    貫通孔
２０    表面部
２０ａ  裏面部
２１    表面部
２１ａ  裏面部
２２    凹部
２３    貫通孔
【図１】
0003160547.tif 000003
【図２】
0003160547.tif 000004
【図３】
0003160547.tif 000005
【図４】
0003160547.tif 000006
【図５】
0003160547.tif 000007
【図６】
0003160547.tif 000008
【図７】
0003160547.tif 000009
【図８】
0003160547.tif 000010
【図９】
0003160547.tif 000011
【図１０】
0003160547.tif 000012
【図１１】
0003160547.tif 000013
【図１２】
0003160547.tif 000014
【図１３】
0003160547.tif 000015
【図１４】
0003160547.tif 000016
【手続補正書】
【提出日】平成22年4月23日(2010.4.23)
【手続補正１】
【補正対象書類名】明細書
【補正対象項目名】全文
【補正方法】変更
【補正の内容】
【考案の詳細な説明】
【技術分野】
【０００１】
本考案は、理美容鋏の分野に関するものである。
【背景技術】
【０００２】
従来すき鋏として特開平８−７１２６３公開特許公報が開示されている。
【０００３】
しかし、前記公開特許公報に開示されているすき鋏には、動刃ａと静刃ｂを交叉させ枢着せしめる枢着軸４が使用されているが、前記公開特許公報の枢着軸４は、この枢着軸４を回転させて櫛刃３ａ付き静刃３を前進させて平刃ａもしくは受刃ｂの摺動切断範囲の部位を前進移動をさせることができない機構である。
【０００４】
さらに、調髪用梳き鋏として、実用新案登録第３１３６９４２号登録実用新案公報が開示されている。
【０００５】
この調髪用梳き鋏は、調髪用梳き鋏の棒刃と櫛刃とを交叉状に枢着する回転可能にして、且偏心する枢着軸の頭部を所定の角度宛回転させることによって、櫛刃が微動して櫛刃を構成する梳刃が微動して所望する毛髪の梳き量を一本の鋏で梳くことができるようにしたものである。
【先行技術文献】
【特許文献】
【０００６】
【特許文献１】特開平８−７１２６３公開特許公報
【特許文献２】実用新案登録第３１３６９４２号登録実用新案公報
【考案の概要】
【考案が解決しようとする課題】
【０００７】
しかるに本考案は、動刃と静刃の枢着機構を構成する回転体を所定の角度だけ回動することによって、動刃の櫛刃もしくは平刃の摺動切断範囲の噛み合っていた位置を前進移動をさせ静刃の棒刃に対する前記動刃の櫛刃もしくは平刃の摺動切断範囲を変更せしめて、一本の理美容鋏を長期間にわたり研ぎに回す必要がなく使用可能にしたものである。
【０００８】
さらに本考案は、１本の理美容鋏を長期間にわたり使用が可能であると共に極めて経済的である。
【課題を解決するための手段】
【０００９】
課題を解決するための手段として、請求項１記載の考案は、梳刃１０もしくは平刃１０ａを有する動刃ａと棒刃１１を有する静刃ｂを刃先が噛み合うように重ね合せ、前記両刃ａ、ｂの刃先の先端から所定の位置に支点となる枢着機構ｓで前記両刃ａ、ｂの刃先が回動自在に枢着せしめる理美容鋏において、前記枢着機構ｓを構成する偏心する貫通孔４を有する回転体ｃを回転させて前記動刃ｂの梳刃１０もしくは平刃１０ａの摺動切断範囲の噛み合っていた位置を、前進移動もしくは後進移動して前記両刃ａ、ｂが噛み合っていることを特徴とする理美容鋏である。
【００１０】
課題を解決するための手段として、請求項２記載の考案は、前記枢着機構ｓを構成する頭部１３と裏面部６に突出する偏心する貫通孔４を有し、且前記動刃ａに形成の貫通孔１に嵌挿する突起部５を形成し、前記裏面部６に前記偏心貫通孔４の中心から同一長さにして、且４５度の角度を有するボール９の収納凹部７を複数形成せしめる回転体ｃと、前記動刃ａの表面部２０に前記凹部７と合致するボール９の上方収納凹部８を形成すると共に、前記動刃ｂの貫通孔１に嵌挿する前記回転体ｃのボルトｄの角形胴部１４及びボルト部１５が嵌挿する嵌挿部２を傾斜状嵌挿部３と貫通孔４を形成し、且前記動刃ａの表面部２０に前記回転体ｃのボール収納凹部７と合致するボール９の下方収納凹部８を形成し、前記静刃ｂの表面部２１より裏面部２１ａにかけて大径状凹部２２を形成し、前記大径状凹部２２より裏面部２１ａにかけて四辺形状の貫通孔２３を形成すると共に、前記動刃ａの貫通孔１に前記回転体ｃの突起部５を嵌挿し、前記ボルトｄにワッシャー１６を嵌挿した後前記回転体ｃの貫通孔４に嵌挿し、前記静刃ｂの貫通孔２３に前記回転体ｃの突起部５の下方部が嵌挿し、前記ボルトｄのボルト部１５に前記静刃ｂの大径状凹部２２にナットｅを嵌挿し螺着せしめ組立てることを特徴とする理美容鋏である。
【考案の効果】
【００１１】
請求項１に記載の考案は、梳刃もしくは平刃を有する動刃と棒刃を有する静刃を刃先が噛み合うように重ね合せ、前記両刃の刃先の先端から所定の位置に支点となる枢着機構で前記両刃の刃先が回動自在に枢着せしめる理美容鋏において、前記枢着機構を構成する偏心する貫通孔を有する回転体を回転させて前記動刃の梳刃もしくは平刃の摺動切断範囲の噛み合っていた位置を、前進移動もしくは後進移動して前記両刃が噛み合っている理美容鋏なので、枢着機構を構成する回転体を所定の角度だけ回転すると、ボールが前記回転体の裏面部に形成されている第２のボールの上方収納部に嵌り込んで、静刃の棒刃と噛合していた動刃の櫛刃もしくは平刃の噛み合っていた位置を前進移動をさせて、磨耗していない棒刃と噛合できる。
【００１２】
そのため、未だ噛み合っていなかった静刃の棒刃の部位に、前記静刃の櫛刃もしくは平刃の摺動切断位置が移動し、新規にして、切れ味が良好な理美容鋏として継続使用ができるすぐれた利点を有している。
【００１３】
さらに本考案は前記のとおり、摩耗した鋏の刃部の研磨作業を不要にして一本の鋏を長期使用できるので、極めて経済的である。
【００１４】
つぎに、請求項２に記載の考案は、前記枢着機構を構成する頭部と裏面部に突出する偏心する貫通孔を有し、且前記動刃に形成の貫通孔に嵌挿する突起部を形成し、前記裏面部に前記偏心貫通孔の中心から同一長さにして、且４５度の角度を有するボールの収納凹部を複数形成せしめる回転体と、前記動刃の表面部に前記凹部と合致するボールの上方収納凹部を形成すると共に、前記動刃の貫通孔に嵌挿する前記回転体のボルトの角形胴部及びボルト部が嵌挿する嵌挿部を傾斜状嵌挿部と貫通孔を形成し、且前記動刃の表面部に前記回転体のボール収納凹部と合致するボールの下方収納凹部を形成し、前記静刃の表面部より裏面部にかけて大径状凹部を形成し、前記大径状凹部より裏面部にかけて四辺形状の貫通孔を形成すると共に、前記動刃の貫通孔に前記回転体の突起部を嵌挿し、前記ボルトにワッシャーを嵌挿した後前記回転体の貫通孔に嵌挿し、前記静刃の貫通孔に前記回転体の突起部の下方部が嵌挿し、前記ボルトのボルト部に前記静刃の大径状凹部にナットを嵌挿し螺着せしめ組立てる理美容鋏なので、前記請求項１に記載の考案と同じ効果を有している。
【図面の簡単な説明】
【００１５】
【図１】本考案理美容鋏の正面図である。
【００１６】
【図２】図１の理美容鋏の分解傾斜図である。
【００１７】
【図３】同理美容鋏における枢着機構の一部切欠拡大縦断正面図である。
【００１８】
【図４】図３の枢着機構を構成する回転体の底面図である。
【００１９】
【図５】図４の回転体が１８０度回転した状態の底面図である。
【００２０】
【図６】同鋏の静刃の表面図である。
【００２１】
【図７】静刃に対する静刃の摺動切断範囲を示す一部切欠拡大平面図である。
【００２２】
【図８】図７における静刃の一部切欠のＡ−Ａ線拡大正面図である。
【００２３】
【図９】図７の動刃が回転体をスライドすると、動刃が図７の摺動位置から前進することを示す両刃の一部切欠拡大平面図である。
【００２４】
【図１０】図９における静刃のＢ−Ｂ線一部切欠拡大正面図である。
【００２５】
【図１１】平刃を有する動刃と静刃の摺動位置を示す一部切欠拡大平面図である。
【００２６】
【図１２】図１１における静刃のＣ−Ｃ線一部切欠拡大正面図である。
【００２７】
【図１３】回転体により回転した平刃付き動刃が摺動位置に変化があったことを示す一部切欠拡大平面図である。
【００２８】
【図１４】図１３の静刃のＤ−Ｄ線一部切欠拡大正面図である。
【考案を実施するための最良の形態】
【００２９】
本考案の実施の形態は共通しているので一括して以下のとおり説明する。
【００３０】
図において、ａは梳刃１０もしくは平刃１０ａを有する理美容鋏の一方を構成する動刃である。
【００３１】
ｂは棒刃１１を有する理美容鋏を構成する静刃である。
【００３２】
前記両刃ａ、ｂの刃先が噛み合うように重ね合せ、前記両刃ａ、ｂの刃先の先端から所定の位置に支点となる枢着機構ｓで前記両刃ａ、ｂの刃先が回動自在に固定せしめる。
【００３３】
本考案は、前記枢着機構ｃを構成する偏心する貫通孔４を有する回転体ｃを回転させて前記動刃ｂの櫛刃１０もしくは平刃１０ａの摺動切断範囲の噛み合っていた位置が前進移動をするものである。
【００３４】
さらに本考案の実施形態をより具体的に説明すると以下のとおりである。
【００３５】
図においてｓは枢着機構である。
【００３６】
この枢着機構ｓの機構部材につき説明すると以下のとおりである。
【００３７】
前記枢着機構ｓの構成部材の１つとして突起部５があるが、この突起部５は頭部１３と裏面部６に突出し、且偏心する貫通孔４を有している。さらにこの突起部５は、前記動刃ｂに形成する貫通孔１に嵌挿する断面が円形状となっている。
【００３８】
つぎに動刃ａの構成につき説明すると以下のとおりである。
【００３９】
この動刃ａには、刃先ｈから所定の位置に前記枢着機構ｓを構成する回転体ｃの突起部５が嵌挿する貫通孔１を有している。
【００４０】
さらに前記動刃ａの表面部２０には、前記貫通孔１より手指挿入部寄りにボール９が嵌挿する下方収納凹部８を形成する。
【００４１】
他方静刃ｂの構成につき説明すると以下のとおりである。
【００４２】
この静刃ｂには、刃先ｈから所定の位置に枢着機構ｓを構成する回転体ｃの貫通孔４に嵌挿するボルトｄの角形胴部１４とボルト部１５が嵌挿する貫通孔２３を表面部２１から裏面部２１ａにかけて形成する。
【００４３】
さらに前記貫通孔２３の形成時に、静刃ｂの表面部２１から裏面部２１ａにかけて、ナットｅが嵌挿する大径状凹部２２を前記貫通孔２３と接続せしめ形成する。
【００４４】
また本考案の構成部材の要部である回転体ｃの具体的実施形態につき説明すると以下のとおりである。
【００４５】
前記回転体ｃは、頭部１３と裏面部６に突出し偏心する貫通孔４を有し、且前記動刃ａの貫通孔１に嵌挿する突起部５を形成し、さらに前記裏面部６に前記貫通孔４の中心から同一長さにして、且４５度の角度を有するボール９の収納凹部７を複数形成せしめる。
【００４６】
さらに、前記回転体ｃの前記頭部３の内側に、円形状にして、且大径状嵌挿部２を有し、前記大径状嵌挿部２の下方部を内側に径を挟める逆円錐  形状の傾斜状嵌挿部３を形成し、前記傾斜状嵌挿部３の下方部より動刃ａの裏面部２０ａにかけて円形状の貫通孔４を形成する。
【００４７】
動刃ａの表面部２０に形成の下方収納凹部８は、前記回転体ｃが回転すると、前記回転体ｃの収納凹部７は常に合致する。
【００４８】
さらに、前記回転体ｃの嵌挿部２と傾斜状嵌挿部３と貫通孔４に嵌挿するボルトｄにつき説明すると以下のとおりである。
【００４９】
このボルトｄは頭部１２と角形状胴部１４とボルト部１５とをもって形成されている。
【００５０】
１６はワッシャー、１７は貫通孔１８付き下方ワッシャーである。
【００５１】
ｅは貫通孔１９付きナットである。
【００５２】
本考案の理美容鋏は、下記のようにして組立てる。
【００５３】
本考案の各構成部材は、図２に示すとおりである。
【００５４】
しかるに、本考案の理美容鋏の各構成部材を組立ると、図１及び図３のようになる。
【００５５】
すなわち、動刃ａと静刃ｂを刃先が噛み合うように重ね合せ、前記両刃ａ、ｂの刃先の先端から所定の位置に支点となる枢着機構ｓで前記両刃ａ、ｂの刃先が回動自在に枢着せしめ組立てる。
【００５６】
しかる後、前記枢着機構ｓを構成する偏心する貫通孔４を有する回転体ｃを４５度回転させると、ボール９はそのままの状態で当該位置に静止し、前記回転体ｃの次の凹部７内に前記ボール９が嵌り込むことになる。
【００５７】
従って、当初噛み合っていた両刃ａ、ｂの中、前記動刃ｂの櫛刃１０もしくは平刃１０ａの摺動切断範囲の噛み合わせ位置が図７、９、１１、１３のように前進移動する。
【００５８】
さらに本考案は、前記回転体ｃを回転後さらに４５度回転すると、動刃ａが若干前進移動する。
【００５９】
上記のとおり、本考案は回転体ｃをボール９が嵌挿する各凹部７内に夫々嵌込むことによって偏心する貫通孔４を有する回転体ｃが突起部５を支点に動刃ａが前進する。
【符号の説明】
【００６０】
ｓ      枢着機構
ａ      動刃
ｂ      静刃
ｃ      回転体
ｄ      ボルト
ｅ      ナット
ｈ      刃先
１      貫通孔
２      嵌挿部
３      傾斜状嵌挿部
４      貫通孔
５      突起部
６      裏面部
７      凹部
８      下方収納凹部
９      ボール
１０    梳刃
１０ａ  平刃
１１    棒刃
１２    大径状嵌挿部
１３    頭部
１４    角形状胴部
１５    ボルト部
１６    ワッシャー
１７    下方ワッシャー
１８    貫通孔
１９    貫通孔
２０    表面部
２０ａ  裏面部
２１    表面部
２１ａ  裏面部
２２    凹部
２３    貫通孔
【手続補正２】
【補正対象書類名】実用新案登録請求の範囲
【補正対象項目名】全文
【補正方法】変更
【補正の内容】
【実用新案登録請求の範囲】
【請求項１】
梳刃もしくは平刃を有する動刃と棒刃を有する静刃を刃先が噛み合うように重ね合せ、前記両刃の刃先の先端から所定の位置に支点となる枢着機構で前記両刃の刃先が回動自在に枢着せしめる理美容鋏において、
前記枢着機構を構成する偏心する貫通孔を有する回転体を回転させて前記動刃の梳刃もしくは平刃の摺動切断範囲の噛み合っていた位置を、前進移動もしくは後進移動して前記両刃が噛み合っていることを特徴とする理美容鋏。
【請求項２】
前記枢着機構を構成する頭部と裏面部に突出する偏心する貫通孔を有し、且前記動刃に形成の貫通孔に嵌挿する突起部を形成し、前記裏面部に前記偏心貫通孔の中心から同一長さにして、且４５度の角度を有するボールの収納凹部を複数形成せしめる回転体と、前記動刃の表面部に前記凹部と合致するボールの上方収納凹部を形成すると共に、前記動刃の貫通孔に嵌挿する前記回転体のボルトの角形胴部及びボルト部が嵌挿する嵌挿部を傾斜状嵌挿部と貫通孔を形成し、且前記動刃の表面部に前記回転体のボール収納凹部と合致するボールの下方収納凹部を形成し、前記静刃の表面部より裏面部にかけて大径状凹部を形成し、前記大径状凹部より裏面部にかけて四辺形状の貫通孔を形成すると共に、前記動刃の貫通孔に前記回転体の突起部を嵌挿し、前記ボルトにワッシャーを嵌挿した後前記回転体の貫通孔に嵌挿し、前記静刃の貫通孔に前記回転体の突起部の下方部が嵌挿し、前記ボルトのボルト部に前記静刃の大径状凹部にナットを嵌挿し螺着せしめ組立てることを特徴とする請求項１に記載した理美容鋏。